【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
被検体を乗せるベッドと、Ｘ線を放射するＸ線源と、前記ベッドの長手方向に複数の放射線検出器が配置されて前記ベッドの周囲に位置し、γ線の検出信号を出力するγ線検出部と、Ｘ線の検出信号を出力するＸ線検出部と、前記ベッドと前記γ線検出部の間に位置する前記Ｘ線源を前記ベッドの周囲において周方向に移動させる第１Ｘ線源移動装置とを備え、
前記Ｘ線検出部の少なくとも一部は、前記ベッドの長手方向において前記γ線検出部の一端と前記γ線検出部の他端との間に形成される領域に位置しており、
前記Ｘ線源を前記長手方向に移動させる伸縮アームを有する第２Ｘ線源移動装置を備えていることを特徴とする放射線検査装置。
【請求項２】
被検体を乗せるベッドと、
Ｘ線を放出するＸ線源と、
前記ベッドの長手方向に複数の放射線検出器が配置されて前記ベッドの周囲に位置し、γ線を検出してそのγ線の検出信号を出力するγ線検出部と、
前記γ線を検出する位置で、前記Ｘ線を検出してそのＸ線の検出信号を出力するＸ線検出部と、
前記ベッドと前記γ線検出部の間に位置する前記Ｘ線源を前記ベッドの周囲において周方向に移動させる第１Ｘ線源移動装置と、
前記Ｘ線源を前記長手方向に移動させる伸縮アームを有する第２Ｘ線源移動装置と
を備えたことを特徴とする放射線検査装置。
【請求項３】
前記γ線検出部及び前記Ｘ線検出部は、一体となって、前記γ線検出部であり前記Ｘ線検出部である放射線検出部を構成し、前記放射線検出部は前記γ線検出信号及び前記Ｘ線検出信号の両方を出力する複数の前記放射線検出器で構成される請求項１または請求項２のいずれか１項に記載の放射線検査装置。
【請求項４】
被検体を乗せるベッドと、
前記被検体にＸ線を照射するＸ線源と、
前記Ｘ線源から照射されて前記被検体を透過するＸ線を検出し、このＸ線の検出信号を出力するＸ線検出部と、
前記Ｘ線を照射している前記被検体の位置で前記被検体から放出されるγ線を検出し、このγ線の検出信号を出力するγ線検出部と、
ベッドと前記γ線検出部の間に位置する前記Ｘ線源を前記ベッドの周囲において周方向に移動させる第１Ｘ線源移動装置と、
前記Ｘ線源を前記ベッドの長手方向に移動させる伸縮アームを有する第２Ｘ線源移動装置とを備えたことを特徴とする放射線検査装置。
【請求項５】
前記γ線検出部及び前記Ｘ線検出部は、一体となって、前記γ線検出部であり前記Ｘ線検出部である放射線検出部を構成し、前記放射線検出部は前記γ線検出信号及び前記Ｘ線検出信号の両方を出力する複数の放射線検出器で構成される請求項４に記載の放射線検査装置。
【請求項６】
前記Ｘ線源が、前記Ｘ線源から照射される前記Ｘ線を前記Ｘ線検出部で検出していないときに、前記長手方向において前記γ線検出部の外側に位置している請求項１ないし請求項４のいずれか１項に記載の放射線検査装置。
【請求項７】
被検体を乗せるベッドと、撮像装置と、制御装置とを備え、
前記撮像装置は、複数の第１放射線検出器を有し、前記ベッドの周囲に位置するγ線検出部と、複数の第２放射線検出器を有し、Ｘ線の検出信号を出力するＸ線検出部と、前記ベッドと前記γ線検出部の間に位置して前記被検体にＸ線を放出するＸ線源と、前記Ｘ線源を、前記ベッドの周囲における周方向に移動させる第１Ｘ線源移動手段と、前記Ｘ線源を前記長手方向に移動させる伸縮アームを有する第２Ｘ線源移動装置とを含んでおり、
前記制御装置は、複数の放射線検出器と電源とを接続して前記複数の放射線検出器に電圧を印加させ、前記放射線検出器への電圧印加時から設定時間が経過した時点で前記Ｘ線源からＸ線を放出し、前記Ｘ線を放出した前記Ｘ線源を、前記第１Ｘ線源移動装置を用いて前記周方向に移動させる制御を行うことを特徴とする放射線検査装置。
【請求項８】
前記γ線検出部及び前記Ｘ線検出部は、一体となって、前記γ線検出部であり前記Ｘ線検出部である放射線検出部を構成し、前記放射線検出部は前記γ線検出信号及び前記Ｘ線検出信号の両方を出力する複数の前記放射線検出器で構成される請求項１または請求項２のいずれか１項に記載の放射線検査装置。
【請求項９】
前記制御装置は、前記Ｘ線源から照射される前記Ｘ線を前記Ｘ線検出部で検出していないときに、前記第２Ｘ線源移動装置を制御して前記Ｘ線源を前記長手方向において前記γ線検出部の外側に位置させる請求項７に記載の放射線検査装置。
【請求項１０】
それぞれの前記第１放射線検出器からのγ線の検出信号を入力し、第１情報を出力する第１信号処理装置と、前記第２放射線検出器からの前記Ｘ線の検出信号を入力して第２情報を出力し、前記第２放射線検出器毎に設けられた第２信号処理装置とを備えた請求項７に記載の放射線検査装置。
【請求項１１】
前記γ線検出部及び前記Ｘ線検出部は別々に設けられており、前記γ線検出部は前記γ線検出信号を出力する複数の前記放射線検出器を有し、前記Ｘ線検出部は前記Ｘ線検出信号を出力する複数の前記放射線検出器を有する請求項１，請求項２及び請求項７のいずれか１項に記載の放射線検査装置。
【請求項１２】
前記放射線検出器は半導体放射線検出器である請求項１ないし請求項３，請求項５及び請求項７ないし請求項１１のいずれか１項に記載の放射線検査装置。
【請求項１３】
前記γ線検出信号より得られた第１情報及び前記Ｘ線検出信号より得られた第２情報を用いて断層像情報を作成する断層像作成装置を備えた請求項１ないし請求項１２のいずれか１項に記載の放射線検査装置。
【請求項１４】
前記γ線検出信号より得られた第１情報を用いて第１断層像情報を作成し、前記Ｘ線検出信号より得られた第２情報を用いて第２断層像情報を作成し、及び前記第１断層像情報及び第２断層像情報を含む第３断層像情報を作成する断層像作成装置を備えた請求項１ないし請求項１２のいずれか１項に記載の放射線検査装置。
【請求項１５】
それぞれの前記放射線検出器からのγ線の検出信号を入力し、放射性薬剤が集積した部位を含む第１断層像情報の作成に用いられる第１情報を出力する第１信号処理装置と、前記放射線検出器からの前記Ｘ線の検出信号を入力して骨を含む第２断層像情報の作成に用いられる第２情報を出力し、前記放射線検出器毎に設けられる第２信号処理装置とを備えた請求項１ないし請求項１２のいずれか１項に記載の放射線検査装置。
【請求項１６】
前記第１情報及び前記第２情報を用いて断層像情報を作成する断層像作成装置を備えた請求項１５に記載の放射線検査装置。
【請求項１７】
前記第１信号処理装置は、
前記放射線検出器からの前記γ線検出信号を入力し、前記放射線検出器毎に設けたγ線検出信号処理装置と、
各前記γ線検出信号処理装置からのそれぞれの出力信号を入力し、前記第１情報である、設定時間内に前記γ線を検出した一対の前記放射線検出器のそれぞれの位置情報、及び検出された前記γ線の計数情報の各情報を出力する計数装置とを有し、
前記位置情報、前記計数情報及び前記第２情報を用いて断層像情報を作成する断層像作成装置とを備えた請求項１６に記載の放射線検査装置。
【請求項１８】
前記γ線検出信号より得られた第１情報及び前記Ｘ線検出信号より得られた第２情報を用いて断層像を作成する断層像作成装置を備えた請求項３に記載の放射線検査装置。
【請求項１９】
前記γ線検出部及び前記Ｘ線検出部が、別々に設けられている請求項４記載の放射線検査装置。
【請求項２０】
前記複数の放射線検出器の各々に接続され、前記放射線検出器を、γ線検出信号処理装置又はＸ線検出信号処理装置に切り替えて接続する切替スイッチと、
前記Ｘ線源の位置に基づいて前記Ｘ線を検出する前記放射線検出器を選択し、選択した前記放射線検出器を前記Ｘ線検出信号処理装置に接続するように前記切替スイッチを制御する切替スイッチ制御部を備える請求項１ないし請求項３のいずれか１項に記載の放射線検査装置。
【請求項２１】
前記切替スイッチ制御装置は、
前記選択された放射線検出器以外の他の放射線検出器を前記γ線検出信号処理装置に接続するように他の前記切替スイッチを制御する請求項２０に記載の放射線検査装置。
【請求項２２】
前記Ｘ線源は、開口部を有する放射線遮へい体と、前記放射線遮へい体内に配置されたＸ線管と、放射線遮蔽材で構成されるシャッターとを有する請求項１ないし請求項２１のいずれか１項に記載の放射線検査装置。
【請求項２３】
ベッドの長手方向に複数の放射線検出器が配置されて前記ベッドの周囲に配置され、γ線の検出信号を出力するγ線検出部と、前記γ線検出部の外側に配置されて前記γ線検出部の周囲を移動するＸ線源と、Ｘ線の検出信号を出力するＸ線検出部と、前記ベッドと前記γ線検出部の間に位置する前記Ｘ線源を前記ベッドの周囲において周方向に移動させる第１Ｘ線源移動装置とを備え、
前記Ｘ線検出部の少なくとも一部は、前記ベッドの長手方向において前記γ線検出部の一端と前記γ線検出部の他端との間に形成される領域に位置しており、
前記Ｘ線源を前記長手方向に移動させる伸縮アームを有する第２Ｘ線源移動装置を備えていることを特徴とする陽電子放出型ＣＴ装置。
【請求項２４】
前記Ｘ線源が、前記Ｘ線源から照射される前記Ｘ線を前記Ｘ線検出部で検出していないときに、前記長手方向において前記γ線検出部の外側に位置している請求項２３に記載の放射線検査装置。
【請求項２５】
前記γ線検出部及び前記Ｘ線検出部は、一体となって、前記γ線検出部であり前記Ｘ線検出部である放射線検出部を構成し、前記放射線検出部は前記γ線検出信号及び前記Ｘ線検出信号の両方を出力する複数の前記放射線検出器で構成される請求項２３に記載の陽電子放出型ＣＴ装置。
【請求項２６】
それぞれの前記放射線検出器からのγ線の検出信号を入力し、放射性薬剤が集積した部位を含む第１断層像情報の作成に用いられる第１情報を出力する第１信号処理装置と、前記放射線検出器からの前記Ｘ線の検出信号を入力して骨を含む第２断層像情報の作成に用いられる第２情報を出力し、前記放射線検出器毎に設けられる第２信号処理装置とを備えた請求項２３に記載の陽電子放出型ＣＴ装置。
【請求項２７】
前記第１信号処理装置は、
前記放射線検出器からの前記γ線検出信号を入力し、前記放射線検出器毎に設けたγ線検出信号処理装置と、及び
各前記γ線検出信号処理装置からのそれぞれの出力信号を入力し、前記第１情報である、設定時間内に前記γ線を検出した一対の前記放射線検出器のそれぞれの位置情報、及び検出された前記γ線の計数情報の各情報を出力する計数装置とを有し、
さらに、前記位置情報、前記計数情報及び前記第２情報を用いて断層像情報を作成する断層像作成装置を備えた請求項２６に記載の放射線検査装置。
【請求項２８】
前記第１情報及び前記第２情報を用いて断層像情報を作成する断層像作成装置を備えた請求項２５に記載の陽電子放出型ＣＴ装置。
【請求項２９】
前記放射線検出器ごとに設けられ、前記放射線検出器からのγ線の検出信号を入力するγ線検出信号処理装置と、
各前記γ線検出信号処理装置からのそれぞれの出力信号を入力し、設定時間内に前記γ線を検出した一対の前記放射線検出器のそれぞれの位置情報、及び検出された前記γ線の計数情報を含む第１情報を出力する計数装置と、
前記放射線検出器ごとに設けられ、前記放射線検出器からの前記Ｘ線の検出信号を入力して骨を含む第２断層像情報の作成に用いられる第２情報を出力するＸ線検出信号処理装置と、
前記複数の放射線検出器のそれぞれに接続され、前記放射線検出器を、前記γ線検出信号処理装置または前記Ｘ線検出信号処理装置に接続する切替装置と、
前記Ｘ線源の位置に基づいて前記Ｘ線を検出する前記放射線検出器を選択し、選択した前記放射線検出器を前記Ｘ線検出信号処理装置に接続するように前記切替装置を制御する切替制御装置とを備える請求項２５に記載の陽電子放出型ＣＴ装置。
【請求項３０】
前記切替制御装置は、前記選択された放射線検出器以外の他の前記放射線検出器を前記第γ線検出信号処理装置に接続するように他の前記切替装置を制御する請求項２９に記載の陽電子放出型ＣＴ装置。
【請求項３１】
前記放射線検出器は半導体放射線検出器である請求項２５に記載の陽電子放出型ＣＴ装置。
【手続補正２】
【補正対象書類名】明細書
【補正対象項目名】発明の名称
【補正方法】変更
【補正の内容】
【発明の名称】放射線検査装置
【手続補正３】
【補正対象書類名】明細書
【補正対象項目名】００１１
【補正方法】変更
【補正の内容】
【００１１】
本発明の目的は、被検体に対する診断精度を向上できる放射線検査装置を提供することにある。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】